(57)【要約】【課題】導光板を連結する時に生じる継ぎ目の明るさを他の部分と同等のレベルにして全表面から均一に発光させる。【課題を解決するための手段】本発明は、複数の導光板１１が平面状に連結されて形成される面発光装置１０であって、各導光板１１には、側方の光源１５からの光を表面側に反射する反射体１６と、反射体１６からの反射光を拡散させる拡散板１７と、が設けられ、導光板１１を連結する時に生じる継ぎ目１３を表面側から覆う凸状の拡散レンズ体１４を備えていることを特徴とする。【選択図】図５
2012109070.tif 000002
【特許請求の範囲】
【請求項１】
複数の導光板が平面状に連結されて形成される面発光装置であって、
前記各導光板には、側方の光源からの光を表面側に反射する反射体と、該反射体からの反射光を拡散させる拡散板と、が設けられ、
前記導光板を連結する時に生じる継ぎ目を表面側から覆う凸状の拡散レンズ体を備えていることを特徴とする面発光装置。
【請求項２】
前記各導光板に対応してフレーム本体が設けられ、該フレーム本体には、前記導光板を裏面側から支持する導光板支持部が形成される底部と、該底部の外周部から前記導光板の側方近接位置を通って延出する側部と、が設けられ、該側部の先端部には、隣接するフレーム本体の側部の先端部と協働して前記拡散レンズ体を支持する拡散レンズ体支持部が形成されていることを特徴とする請求項１に記載の面発光装置。
【請求項３】
前記拡散レンズ体には、細長で前記継ぎ目より幅広の半円筒形状を有する拡散部と、該拡散部の裏面側で該拡散部の長手方向に沿って延びる棒状の固定部と、が設けられ、前記拡散レンズ体支持部には、前記固定部が嵌合可能な凹部が形成されていることを特徴とする請求項２に記載の面発光装置。
【請求項４】
前記フレーム本体の側部には、隣接するフレーム本体の側部に当接するように外側に延出する突部が設けられていることを特徴とする請求項２又は３に記載の面発光装置。
【発明の詳細な説明】
【技術分野】
【０００１】
本発明は、複数の導光板が平面状に連結されて形成される面発光装置に関するものである。
【背景技術】
【０００２】
従来、例えばイルミネーション看板や建築業界の特殊照明の分野において、薄型の面発光装置が使用されている。
【０００３】
従来のこの種の面発光装置としては、一般に導光板が知られている。この導光板には、通常、側方にＬＥＤ（Light-Emitting Diode）等の光源が設けられており、該光源から照射された光が反射板で表面側に反射された後、アクリル製の拡散板により拡散されて、均一に面発光されるようになっている（例えば、特許文献１又は２参照）。
【先行技術文献】
【特許文献】
【０００４】
【特許文献１】特許第３４６３０６０号公報
【特許文献１】特許第３５００４６６号公報
【発明の概要】
【発明が解決しようとする課題】
【０００５】
しかしながら、上記した従来の面発光装置（導光板）では、側方にＬＥＤが設けられているため、導光板の表面積が小さい場合には全体を明るくすることができるが、その表面積が大きい場合には全体を明るくすることが難しいといった問題があった。また、看板や照明の設置場所などに応じて異なるサイズや形状のものを受注生産せざるを得ないため、制作に手間が掛かり、納期の短縮化及びコストの低減化や、用途の拡大化が図り難いといった問題もあった。
【０００６】
そこで、このような課題を解決するために、複数の導光板をグリッド状に配置し、連結することも考えられるが、この場合には、前記導光板を連結する時に生じる継ぎ目の部分の明るさが他の部分より暗くなり、継ぎ目が表面側から視認できるようになるため、面発光装置の全表面から均一に発光させることが難しいといった問題があった。
【０００７】
本発明は、上記した課題を解決すべくなされたものであり、前記導光板を連結する時に生じる継ぎ目の明るさを他の部分と同等のレベルにして全表面から均一に発光させることのできる面発光装置を提供することを目的とするものである。
【課題を解決するための手段】
【０００８】
上記した目的を達成するため、本発明は、複数の導光板が平面状に連結されて形成される面発光装置であって、前記各導光板には、側方の光源からの光を表面側に反射する反射体と、該反射体からの反射光を拡散させる拡散板と、が設けられ、
前記導光板を連結する時に生じる継ぎ目を表面側から覆う凸状の拡散レンズ体を備えていることを特徴とする。
【０００９】
そして、本発明に係る面発光装置には、前記各導光板に対応してフレーム本体が設けられ、該フレーム本体には、前記導光板を裏面側から支持する導光板支持部が形成される底部と、該底部の外周部から前記導光板の側方近接位置を通って延出する側部と、が設けられ、該側部の先端部には、隣接するフレーム本体の側部の先端部と協働して前記拡散レンズ体を支持する拡散レンズ体支持部が形成されていることを特徴とする。
【００１０】
また、本発明に係る面発光装置において、前記拡散レンズ体には、細長で前記継ぎ目より幅広の半円筒形状を有する拡散部と、該拡散部の裏面側で該拡散部の長手方向に沿って延びる棒状の固定部と、が設けられ、前記拡散レンズ体支持部には、前記固定部が嵌合可能な凹部が形成されていることを特徴とする。
【００１１】
さらに、本発明に係る面発光装置において、前記フレーム本体の側部には、隣接するフレーム本体の側部に当接するように外側に延出する突部が設けられていることを特徴とする。
【発明の効果】
【００１２】
本発明によれば、異なるサイズや形状のものを容易に制作することができるため、納期の短縮化及びコストの低減化を図ることができると共に、面発光装置の用途の拡大化を図ることができる。
【００１３】
また、導光板を連結する時に生じる継ぎ目の部分で拡散レンズ体が拡散板により拡散された光を集め、さらに、拡散させるため、継ぎ目の部分の明るさが他の部分と同等のレベルになり、面発光装置の全表面から均一に発光させることができる。
【図面の簡単な説明】
【００１４】
【図１】本発明の実施の形態に係る面発光装置を示す平面図である。
【図２】本発明の実施の形態に係る面発光装置のフレーム本体を示す平面図である。
【図３】本発明の実施の形態に係る面発光装置において図２のＡ方向から見たフレーム本体を示す側面図である。
【図４】本発明の実施の形態に係る面発光装置において図２のＢ方向から見たフレーム本体を示す側面図である。
【図５】本発明の実施の形態に係る面発光装置において導光板の継ぎ目の部分を示す側面図である。
【発明を実施するための形態】
【００１５】
以下、図面を参照しつつ、本発明の実施の形態に係る面発光装置について説明する。ここで、図１は本発明の実施の形態に係る面発光装置を示す平面図、図２は本発明の実施の形態に係る面発光装置のフレーム本体を示す平面図、図３は本発明の実施の形態に係る面発光装置において図２のＡ方向から見たフレーム本体を示す側面図、図４は本発明の実施の形態に係る面発光装置において図２のＢ方向から見たフレーム本体を示す側面図、図５は本発明の実施の形態に係る面発光装置において導光板の継ぎ目の部分を示す側面図である。
【００１６】
本実施の形態に係る面発光装置１０は、複数の正方形状の導光板１１を、各導光板１１に対応させて設けたフレーム本体１２に支持させてグリッド状に配置し、各フレーム本体１２を平面状に連結することにより構成されており、導光板１１を連結する時に生じる継ぎ目１３を表面側から覆う凸状の拡散レンズ体１４を備えている。
【００１７】
導光板１１は、外周部に設けられる光源１５と、導光板１１の底面を形成する反射板１６と、反射板１６の表面側の近接位置に設けられる拡散板１７と、を備えて構成されており、厚みが６ｍｍ又は８ｍｍのものが使用されている。
【００１８】
光源１５には、ＬＥＤ（Light-Emitting Diode）が使用されており、側方から反射板１６に向かって光を放射するように設けられている。
【００１９】
反射板１６には、複数のＶ型の溝（図示省略）が形成されており、これらの溝は、光源１５から放射された光を拡散板１７に対して均一に分散させる機能を有している。また、前記溝は、光源１５の近くでは広い間隔で配置され、光源１５から離間するに従って間隔が狭くなるように配置されており、これにより、導光板１１から均一な輝度で面発光されるようになっている。
【００２０】
拡散板１７には、アクリル板が使用されており、反射板１６からの反射光を外側に向かって均一に拡散するように設けられている。
【００２１】
フレーム本体１２には、平面視で略八角形の環状を成す底部１８と、底部１８の四辺外周部から略直角に立ち上がって導光板１１の側方の近接位置を通って延出する側部１９と、が形成されている。
【００２２】
底部１８には、均等間隔で４箇所に導光板１１を裏面側から支持する導光板支持部２０が形成されており、各導光板支持部２０の間にはフレーム本体１２を固定するネジが挿通可能な取り付け孔２１が４箇所に形成されている。各導光板支持部２０は、凸状に屈曲形成された４個の支持凸部２２を均等間隔で矩形状に配置することにより構成されており、各支持凸部２２の間には配線スペース２３が形成されている。なお、導光板支持部２０で導光板１１を支持する際、導光板支持部２０と導光板１１の間に例えば０．７ｍｍの緩衝材（図示省略）を介装してもよい。
【００２３】
各側部１９には、先端部にそれぞれ２か所ずつ拡散レンズ体支持部２４が形成されており、拡散レンズ体支持部２４には、導光板支持部２０に支持された導光板１１に跨るように内側に直角に突出する掛止凸部２５と、外側面に半円柱状に形成された嵌合凹部２６と、が設けられている。そして、掛止凸部２５と導光板支持部２０との離間距離は、導光板支持部２０に厚み０．７ｍｍの前記緩衝材を介して厚み６ｍｍ又は８ｍｍの導光板１１を載置し、さらに、導光板１１の表面に１ｍｍのアクリル板を載置したとしても、導光板１１と掛止凸部２５との間に隙間が形成され且つ導光板１１が脱落しないように設定されている。そして、このように導光板１１と掛止凸部２５との間に隙間を設けることにより、震度５程度の地震時であっても、導光板１１が破損等するのを防止することができ、耐震性を高めることができる。
【００２４】
拡散レンズ体支持部２４は、隣接するフレーム本体１２の拡散レンズ体支持部２４と平面上で互いに合致しない位置にそれぞれ配置されており、隣接するフレーム本体１２の拡散レンズ体支持部２４と協働して拡散レンズ体１４を両側から挟持することにより支持するようになっている。
【００２５】
拡散レンズ体１４には、細長で継ぎ目１３より幅広の半円筒形状を有するアクリル製の拡散部２７と、拡散部２７の裏面側で拡散部２７の長手方向に沿って延びる棒状の固定部２８と、が形成されており、固定部２８が拡散レンズ体支持部２４の嵌合凹部２６に嵌合することにより、拡散レンズ体１４が拡散レンズ体支持部２４に支持されるようになっている。また、拡散部２７は、拡散レンズ体支持部２４を表面側から完全に覆うと共にその両縁部３０が平面視で導光板１１の拡散板１７に掛かり、拡散板１７が拡散した光を集めることができるようになっている。さらに、拡散部２７はその両縁部３０が掛止凸部２５より導光板１１に接近しないように形成されており、拡散部２７が導光板１１に干渉しないようになっている。
【００２６】
さらにまた、フレーム本体１２の側部１９には、外側に延出するように突部２９が形成されており、この突部２９の先端が隣接するフレーム本体１２の側部１９に当接することにより、隣接するフレーム本体１２との離間距離が一定に保持され、これにより、各導光板１１を所定位置に容易且つ確実に設置することができるようになっている。
【００２７】
このような構成を備えた面発光装置１０において、光源１５からの光は側方から反射板１６に向かって放射され、反射板１６において前記溝の機能により均一に分散、反射された後、拡散板１７で一様に拡散され、外部に放射される。この時、継ぎ目１３の部分では、拡散レンズ体１４の拡散部２７が拡散板１７によって拡散された光を集め、さらに、拡散させる。これにより、継ぎ目１３の部分の明るさが他の部分と同等のレベルに達し、面発光装置１０の全表面から均一に発光させることができるようになる。
【００２８】
なお、上記した本発明の実施の形態の説明は、本発明に係る面発光装置における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００２９】
１０          面発光装置
１１          導光板
１２          フレーム本体
１３          継ぎ目
１４          拡散レンズ体
１５          光源
１６          反射体
１７          拡散板
１８          底部
１９          側部
２０          導光板支持部
２４          拡散レンズ体支持部
２６          嵌合凹部
２７          拡散部
２８          固定部
２９          突部
【図１】
2012109070.tif 000003
【図２】
2012109070.tif 000004
【図３】
2012109070.tif 000005
【図４】
2012109070.tif 000006
【図５】
2012109070.tif 000007